(57)【要約】      （修正有）【課題】地盤の大規模な掘削整形を不要として、施工コストを大幅に低減したクローズド型廃棄物処分場の構造を提供する。【解決手段】処分場エリアＡの外周に沿って、谷部Ｖの両側斜面に設置された基礎１と、この基礎１を介して谷部Ｖの両側斜面間に水平に架け渡された互いに平行な多数の梁２と、処分場エリアＡの地盤に鉛直に立設されて梁２を支持する柱３と、梁２上に、処分場エリアＡの上空を覆うように支持された屋根部材と、処分場エリアＡの下流側を堰き止めるように構築された堰堤５と、処分場エリアＡの外周に沿って、基礎１間を連結するように形成された遮水壁６と、この遮水壁６と連続して設けられ、処分場エリアＡの地表面及び堰堤５の内側面を被覆した遮水層からなる。【選択図】図２
2006122791.tif 000002
【特許請求の範囲】
【請求項１】
谷部の両側斜面間の処分場エリアの外周に沿って、前記谷部の両側斜面間に基礎を介して架け渡された所要数の梁と、この梁上に前記処分場エリアの上空を覆うように支持された屋根部材と、前記処分場エリアの下流側を堰き止めるように構築された堰堤と、からなることを特徴とするクローズド型廃棄物処分場。
【請求項２】
処分場エリアの地表面が遮水層で被覆されたことを特徴とする請求項１に記載のクローズド型廃棄物処分場。
【請求項３】
梁が所要数の柱を介して支持されたことを特徴とする請求項１に記載のクローズド型廃棄物処分場。
【発明の詳細な説明】
【技術分野】
【０００１】
本発明は、山間の谷部への施工に適したクローズド型廃棄物処分場に関する。
【背景技術】
【０００２】
一般家庭から排出される生活廃棄物や、工場から排出される産業廃棄物等は、分別回収や、可燃廃棄物の焼却等の処理を経て、最終処分として、廃棄物処分場への埋め立てが行われる。そしてこれまでは、このような廃棄物最終処分場としては、山間の谷部などを利用して、下流側に堰堤を設けたオープン型の廃棄物処分場が造成されて来た。
【０００３】
しかし、オープン型の廃棄物処分場は、強風や鳥獣による廃棄物の散乱や、臭気などの外部への拡散等によって、周辺環境へ悪影響を及ぼすおそれがある。また、埋立作業が天候による影響を受けやすく、しかも処分場に降った雨による廃棄物からの浸出水は汚染されているため、これを処理するための大容量の水処理施設が必要となり、水処理施設の建設による初期コストや多額のランニングコストがかかる問題が指摘される。
【０００４】
そこで近年は、環境への配慮やコスト上の理由から、クローズド型の廃棄物処分場（被覆型処分場）が注目され、採用実績が増えて来ている。クローズド型廃棄物処分場は、廃棄物の投棄エリアを屋根などで覆うことによって、降雨による廃棄物からの浸出水の発生がなく、埋立作業が天候による影響を受けにくく、しかも廃棄物の散乱や臭気の拡散を防止することができ、更には廃棄物の散乱防止のための覆土が不要であるため、実質的な廃棄物の埋め立て容量が増大するといった利点があり、例えば下記の特許文献１のようなものが知られている。
【特許文献１】特開２００３−２３６４８８号公報
【０００５】
しかし、廃棄物処分場の好適地である山間の谷部に、クローズド型の廃棄物処分場を造成するには、谷部の両側斜面に屋根が架かるようにするため、従来の技術によれば、平面形状が長方形となるように地盤を掘削して整形する必要があった。したがって、多大な施工コストがかかることから、結局、山間の谷部での大容量のクローズド型廃棄物処分場の造成は採用されにくい状況にある。
【発明の開示】
【発明が解決しようとする課題】
【０００６】
本発明は、上述のような問題に鑑みてなされたものであって、その技術的課題は、地盤の大規模な掘削整形を不要として、施工コストを大幅に低減したクローズド型廃棄物処分場の構造を提供することにある。
【課題を解決するための手段】
【０００７】
上記従来の技術的課題を有効に解決するため、請求項１の発明に係るクローズド型廃棄物処分場は、谷部の両側斜面間の処分場エリアの外周に沿って、前記谷部の両側斜面間に基礎を介して架け渡された所要数の梁と、この梁上に前記処分場エリアの上空を覆うように支持された屋根部材と、前記処分場エリアの下流側を堰き止めるように構築された堰堤と、からなるものである。すなわち、このクローズド型廃棄物処分場は、谷部の地形を掘削や整地により大幅に改変することなく、谷部の両側斜面の地形に梁のスパンを合わせて、この梁を架け渡し、屋根を構築したものである。
【０００８】
なお、ここでいう「下流側」とは、谷部の延長方向における標高の低い側のことである。
【０００９】
また、請求項２の発明に係るクローズド型廃棄物処分場は、請求項１に記載の構成において、処分場エリアの地表面が遮水層で被覆されたものである。遮水層は、処分場エリアに投棄された廃棄物と地表面の間を遮断するものである。
【００１０】
また、請求項３の発明に係るクローズド型廃棄物処分場は、請求項１に記載の構成において、梁が所要数の柱を介して支持されたものである。これによって、谷部の両側斜面間に長いスパンで架け渡された梁を、適切に補強することができる。
【発明の効果】
【００１１】
請求項１〜３の発明に係るクローズド型廃棄物処分場によれば、谷部の地形を掘削や整地により大幅に改変する必要がないので、低コストで施工することができ、掘削による廃土も生じない。
【発明を実施するための最良の形態】
【００１２】
以下、本発明に係るクローズド型廃棄物処分場の好ましい実施の形態について、図面を参照しながら説明する。図１は、処分場が施工される谷部の地形を示す説明図、図２は、図１の谷部に施工されたクローズド型廃棄物処分場の平面図、図３は、図２におけるIII−III線断面図、図４は図２におけるIV−IV線断面図である。
【００１３】
まず図１において、多数の破線は、処分場が施工される谷部の地形の等高線であり、Ｍは標高が高い側（山部）、Ｖは標高が低い側（谷部）である。この形態におけるクローズド型廃棄物処分場は、谷部Ｖを利用して、その両側斜面間の一点鎖線で示されるエリア（以下、処分場エリアという）Ａに建設されたものであり、谷部Ｖに沿って細長く延びている。
【００１４】
すなわち、図２、図３及び図４に示されるクローズド型廃棄物処分場は、処分場エリアＡの外周に沿って、谷部Ｖの両側斜面に設置された基礎１と、この基礎１を介して谷部Ｖの両側斜面間に水平に架け渡された互いに平行な多数の梁２と、処分場エリアＡの地盤Ｇにフーチング３ａを介して鉛直に立設されて梁２を支持する柱３と、梁２上に、処分場エリアＡの上空を覆うように支持された屋根部材４と、処分場エリアＡの下流側（谷部Ｖの延長方向における標高の低い側）を堰き止めるように構築された堰堤５と、処分場エリアＡの外周に沿って、基礎１間を連結するように形成された遮水壁６と、この遮水壁６と連続して設けられ、処分場エリアＡの地表面及び堰堤５の内側面を被覆した遮水層７からなる。
【００１５】
基礎１は、重力式擁壁タイプとし、現場打ちのコンクリートによって、谷部Ｖの両側斜面にそれぞれ標高が等しくなるように、言い換えればほぼ等高線に沿って施工されるが、好ましくは、屋上の排水性を考慮して、屋根部材４が水勾配程度の緩やかな傾斜面をなすようにしても良い。図１及び図２に示される例では、各基礎１は、下流側へ向かって僅かずつ標高が低くなるように施工されている。
【００１６】
なお、梁２及び屋根部材４からなる屋根の設置高さ、言い換えれば基礎１の標高は、図４に一点鎖線で示される埋め立て高さｈまで廃棄物が埋め立てられて、埋立が完了した時点でも、重機等による作業が可能な空頭Ｓが確保されるように考慮して設定される。
【００１７】
図４に示されるように、屋根部材４の最も下流側は、堰堤５の上空を覆う位置まで延びている。また、最も下流側の屋根部材４の勾配が大きくなるように、下流側の梁２の両端を支持する基礎１の施工高さが設定されている。
【００１８】
そして好ましくは、屋根部材４の上面は、防水層を介して、所定の層厚の覆土（図示省略）が施される。このようにすれば、処分場の屋上を、前記覆土への植生によって周辺環境と調和させ、あるいは公園や運動場などとして有効利用することができる。
【００１９】
梁２及び柱３、屋根部材４は、一般的な工場建屋で使われている折板屋根構造と同様の仕様となっており、梁２及び柱３は、例えば鉄骨あるいは鉄骨・鉄筋コンクリートからなる。また、堰堤５は、コンクリートの現場打ちによって施工される。
【００２０】
谷部Ｖの地形は、図１の等高線で示されるように、平面的に凸凹しているため、谷部Ｖの両側斜面間に水平に架け渡される梁２のスパンは、架設場所によって長くなったり短くなったりし、柱３の長さも同様に、場所によって長くなったり短くなったりする。これらは現場合わせによって施工しても良いが、予め工場で加工したものを用いて組み立てることもできる。また、この形態では、柱３は、平面図において直線的に並ぶように格子点状に配列されている。
【００２１】
処分場エリアＡの外周に沿って連続して設けられた遮水壁６は、遮水性に優れた材質からなるものであって、処分場エリアＡの外側の地表面に降った雨水が、処分場エリアＡ内に入らないようにするものである。この遮水壁６は、外周から雨水が処分場エリアＡに浸入するのを防ぐ機能さえあれば良いため、ブロックからなるものや、鋼矢板からなるものものでも良い。
【００２２】
遮水層７は、遮水性に優れた材質からなるものであって、処分場エリアＡの下側の地盤Ｇ及び地下水が、処分場エリアＡに埋め立てられた廃棄物からの浸出水により汚染されるのを防止するものである。
【００２３】
処分場エリアＡの外周には、廃棄物搬入のための車輌が通る道路（図示省略）が建設され、その一部には、谷部斜面を掘り下げることによって、搬入車輌の出入口（図示省略）が設けられる。この出入口にはオーバースライダーが設置されており、車輌の出入りがない時は閉塞されるようになっている。
【００２４】
以上のように構成されたクローズド型廃棄物処分場は、図１に示される谷部Ｖの地形に合わせて、梁２及び屋根部材４からなる屋根を構築したものである。このため、谷部Ｖの原地形を掘削や整地により大幅に改変する必要がなく、したがって大量の掘削土を運搬する必要もなく、施工コストを大幅に低減することかできる。
【００２５】
梁２及び屋根部材４からなる屋根の上に降った雨水は、この屋根が勾配を有することによって低位側へゆっくり流れ、処分場エリアＡの外側（下流側）へ排出される。
【００２６】
また、処分場エリアＡを屋根で覆ったクローズド型であり、しかも処分場エリアＡの外側の地表面に降った雨水が、遮水壁６によって、処分場エリアＡ内に入らないようになっているので、風や鳥獣による廃棄物の散乱を防止することができ、廃棄物からの浸出水の発生も著しく少なく抑えられる。しかも屋上が、谷部の斜面と連続した平坦なスペースとなるので、植生等によって、周辺環境との景観上の違和感をなくし、公園や運動場として有効利用することができる。
【図面の簡単な説明】
【００２７】
【図１】処分場が施工される谷部の地形を示す説明図である。
【図２】図１の谷部に施工された本発明のクローズド型廃棄物処分場の平面図である。
【図３】図２におけるIII−III線断面図である。
【図４】図２におけるIV−IV線断面図である。
【符号の説明】
【００２８】
１  基礎
２  梁
３  柱
３ａ  フーチング
４  屋根部材
５  堰堤
６  遮水壁
７  遮水層
Ａ  処分場エリア
Ｇ  地盤
Ｍ  山部
Ｖ  谷部
【図１】
2006122791.tif 000003
【図２】
2006122791.tif 000004
【図３】
2006122791.tif 000005
【図４】
2006122791.tif 000006